(57)【要約】【課題】  ２つの端末の画面で全く同じ画像で静止するようにする。【解決手段】  映像通信端末１００，３００は、放送番組受信部１１０，３１０で同じチャンネルを受信する。端末１００は、受信チャンネルの映像を一時メモリ１１５で一時記憶する。端末３００で、受信チャンネルの映像を映像合成部１７０を介して表示部１９０に表示する。端末１００のユーザの静止操作に応じて、端末１００は、現在時刻に所定時間を付加した時刻を画面静止時刻として一時記憶し、画面静止コマンドと画面静止時刻を端末３００に送信する。端末３００は、画面静止時刻に間に合えばその時刻に、間に合わなければ即座に、画像を静止させ、コマンドへの応答と自端末の画像静止時刻を端末１００に送信する。端末１００は、端末３００の画像静止時刻に相当する映像を一時メモリ１１５から読み出し、表示する。【選択図】  図１
2005176219.tif 000002
【特許請求の範囲】
【請求項１】
動画再生装置を制御する装置であって、
前記動画像データの再生停止を指示する指示手段と、
前記指示手段による再生停止の指示に応じて、再生停止を指示する指示コマンドと共に前記動画像データにおける再生停止位置を示す停止位置情報を前記動画再生装置に送信する通信手段
とを備えることを特徴とする制御装置。
【請求項２】
更に、
動画像データを再生する再生手段と、
前記指示手段による再生停止の指示に応じて、前記再生手段による前記動画像データの再生動作を停止する制御手段
とを備えることを特徴とする請求項１に記載の制御装置。
【請求項３】
前記制御手段は、前記送信手段により送信した停止位置情報が示す停止位置において、前記動画像データの再生を停止するよう前記再生手段を制御することを特徴とする請求項２に記載の制御装置。
【請求項４】
動画再生装置における動画像データの再生動作を制御する装置であって、
動画像データを再生する再生手段と、
前記再生手段による動画像データの再生停止を指示する指示手段と、
前記指示手段による再生停止の指示に応じて再生停止を指示する指示コマンドを前記動画再生装置に送信すると共に、前記指示コマンドに伴う前記動画再生装置における動画像データの再生停止位置を示す再生停止情報を受信する通信手段と、
前記通信手段により受信された再生停止情報に指定された再生停止位置において、前記動画像データの再生を停止するよう前記再生手段を制御する制御手段
とを備えることを特徴とする制御装置。
【請求項５】
更に、前記動画像データを一時記憶する記憶手段と、前記通信手段により受信された再生停止情報に指定された再生停止位置において、前記記憶手段内の前記動画像データの再生を停止するよう前記再生手段を制御する制御手段とを備えることを特徴とする請求項４に記載の制御装置。
【請求項６】
前記再生停止を指示する指示コマンドを前記動画再生装置に送信した後、前記記憶手段に前記動画像データの一時記憶を開始することを特徴とする請求項５に記載の制御装置。
【請求項７】
更に、前記再生停止を指示する指示コマンドと共に、前記動画像データにおける再生停止位置を示す停止位置情報を前記動画再生装置に送信する第２の通信手段を備え、
前記停止位置情報以降の前記動画像データを前記記憶手段に一時記憶することを特徴とする請求項５に記載の制御装置。
【請求項８】
更に、共通時刻情報受信手段を有し、前記停止位置情報が時刻情報であることを特徴とする請求項１乃至７の何れか１項に記載の制御装置。
【請求項９】
前記第２の通信手段より送信する停止位置情報は、現在時刻に所定時間を付加した時刻であることを特徴とする請求項７又は８に記載の制御装置。
【請求項１０】
前記動画像データは、前記動画像データに含まれる複数のフレームを識別するための識別子を有し、
前記制御装置が更に、前記動画像データに含まれる複数のフレームを識別する識別手段を有し、
前記停止位置情報がフレーム識別子であることを特徴とする請求項１から１１のいずれかに記載の制御装置。
【請求項１１】
前記動画像データは読み出し可能な記録媒体に記録され、
前記制御装置は、前記動画像データに含まれる複数のフレームの前記記録媒体上の位置識別手段を有し、
前記停止位置情報が前記記録媒体上の位置情報であることを特徴とする請求項１乃至１４の何れか１項に記載の制御装置。
【請求項１２】
請求項１に記載の制御装置により制御される動画再生装置であって、
動画像データを再生する再生手段と、
前記制御装置より送信された前記動画像データの再生停止を指示する指示コマンドと、前記動画像データの再生停止位置を示す停止位置情報とを受信する通信手段と、
前記通信手段により受信した指示コマンドと停止位置情報とに応じて、前記再生手段による前記動画像データの再生を停止する制御手段
とを備えることを特徴とする動画再生装置。
【請求項１３】
前記制御手段は更に、前記再生手段による前記動画像データの再生停止位置を示す再生停止情報を前記制御装置に送信するよう前記通信手段を制御することを特徴とする請求項１６に記載の動画再生装置。
【請求項１４】
前記制御手段は、前記通信手段により受信された停止位置情報により指示された停止位置において前記動画像データの再生を停止した場合に、前記受信された停止位置情報により指示された停止位置と同一の再生停止位置を前記再生停止情報として送信するよう前記通信手段を制御することを特徴とする請求項１７に記載の動画再生装置。
【請求項１５】
前記制御手段は、前記通信手段により受信された停止位置情報により指示された停止位置よりも後の位置において前記動画像データの再生を停止した場合に、後の停止位置を前記再生停止情報として送信するよう前記通信手段を制御することを特徴とする請求項１７に記載の動画再生装置。
【請求項１６】
更に、共通時刻情報受信手段を有し、前記停止位置情報が時刻情報であることを特徴とする請求項１６乃至１９の何れか１項に記載の動画再生装置。
【請求項１７】
前記動画像データは、前記動画像データに含まれる複数のフレームを識別するための識別子を有し、
前記動画再生装置が更に、前記動画像データに含まれる複数のフレームを識別する識別手段を有し、
前記停止位置情報がフレーム識別子であることを特徴とする請求項１６乃至２０の何れか１項に記載の動画再生装置。
【請求項１８】
前記動画像データは読み出し可能な記録媒体に記録され、
前記動画再生装置は、前記動画像データに含まれる複数のフレームの前記記録媒体上の位置識別手段を有し、
前記停止位置情報が前記記録媒体上の位置情報であることを特徴とする請求項１６乃至２１の何れか１項記載の動画再生装置。
【請求項１９】
動画再生装置における動画像データの再生動作を制御する装置であって、
動画像データを再生する再生手段と、
前記再生手段による動画像データの再生を指示する指示手段と、
前記指示手段による再生の指示に応じて再生を指示する指示コマンドを前記動画再生装置に送信すると共に、前記指示コマンドに伴う前記動画再生装置における動画像データの再生開始時刻情報を受信する通信手段と、
共通時刻情報受信手段と、
第２の動画像データの再生開始時刻を検出する手段
とを有し、
前記通信手段により受信された再生開始時刻情報と、前記再生開始時刻検出手段により検出された再生開始時刻に基づき、前記第２の動画像データの再生位置を変更することを特徴とする制御装置。
【請求項２０】
前記第２の動画像データのタイムシフト再生が可能であり、
前記通信手段により受信された再生開始時刻情報より前記再生開始時刻検出手段により検出された再生開始時刻が早い場合、前記第２の動画像データを、前記再生開始時刻検出手段により検出された再生開始時刻と前記通信手段により受信された再生開始時刻との時間差分、タイムシフトして再生をすることを特徴とする請求項２３に記載の制御装置。
【発明の詳細な説明】
【技術分野】
【０００１】
本発明は、動画再生装置を制御する制御装置及び、当該制御装置により制御される動画再生装置に関する。
【背景技術】
【０００２】
近年では、動画データ及び音声データといったリアルタイム性を要求されるデータと、静止画データ及び制御データといった転送の信頼性が要求されるデータを、混在した状態で転送することが可能な高速デジタル通信技術が実現されている。そして、これらの通信技術を使用して、従来、単独で又は機器独自の接続によって動作していた家庭内のオーディオ・ビジュアル（ＡＶ）機器及び家電機器を一つのネットワークに接続する要求が高まり、実現されている。
【０００３】
さらには、テレビ電話等においても、通話相手と同じテレビ番組、即ち同じビデオコンテンツを視聴しつつ、同時に視聴中の映画や番組に関する会話を楽しみたいという要求が高まっている。
【０００４】
制御コマンドの転送にはある程度の時間を要するため、テレビ電話等による通話相手と同じコンテンツを視聴中に、片方でコンテンツの一時停止を行なった時、双方をまったく同じ位置で一時停止することは不可能であった。
【０００５】
特許文献１には、番組に対する応答操作として、ユーザの応答操作時間情報を付加して電話回線を通じて送信するように構成することにより、送信先で、複数のユーザの応答操作時間を正確に識別可能としたものであるが、この構成は、上記課題を克服するものではない。
【特許文献１】特開平７−２４５５９４号公報
【発明の開示】
【発明が解決しようとする課題】
【０００６】
コンテンツのシーンの境付近で一時停止が行われた場合、一方ではシーンの切り替わり前で一時停止し、他方ではシーンの切り替わり後で一時停止してしまうことが起こりうる。このとき、双方で表示される画像が全く違うものとなってしまい、同じ番組を見ながら、その番組に関する話題がずれたものになってしまう。
【０００７】
また、記録媒体に記録されたコンテンツを再生する場合、機器毎に再生までに要する時間が異なり、再生タイミングがずれてしまい、同じコンテンツを見ながら、その内容に関する話題がずれたしまうことがある。
【０００８】
本発明は、このような不都合を解消する制御装置及び動画再生装置を提示することを目的とする。
【課題を解決するための手段】
【０００９】
本発明に係る制御装置は、動画再生装置を制御する装置であって、前記動画像データの再生停止を指示する指示手段と、前記指示手段による再生停止の指示に応じて、再生停止を指示する指示コマンドと共に前記動画像データにおける再生停止位置を示す停止位置情報を前記動画再生装置に送信する通信手段とを備えることを特徴とする。
【００１０】
本発明に係る制御装置は、動画再生装置における動画像データの再生動作を制御する装置であって、動画像データを再生する再生手段と、前記再生手段による動画像データの再生停止を指示する指示手段と、前記指示手段による再生停止の指示に応じて再生停止を指示する指示コマンドを前記動画再生装置に送信すると共に、前記指示コマンドに伴う前記動画再生装置における動画像データの再生停止位置を示す再生停止情報を受信する通信手段と、前記通信手段により受信された再生停止情報に指定された再生停止位置において、前記動画像データの再生を停止するよう前記再生手段を制御する制御手段とを備えることを特徴とする。
【００１１】
本発明に係る動画再生装置は、上述の制御装置により制御される動画再生装置であって、動画像データを再生する再生手段と、前記制御装置より送信された前記動画像データの再生停止を指示する指示コマンドと、前記動画像データの再生停止位置を示す停止位置情報とを受信する通信手段と、前記通信手段により受信した指示コマンドと停止位置情報とに応じて、前記再生手段による前記動画像データの再生を停止する制御手段とを備えることを特徴とする。
【００１２】
本発明に係る制御装置は、動画再生装置における動画像データの再生動作を制御する装置であって、動画像データを再生する再生手段と、前記再生手段による動画像データの再生を指示する指示手段と、前記指示手段による再生の指示に応じて再生を指示する指示コマンドを前記動画再生装置に送信すると共に、前記指示コマンドに伴う前記動画再生装置における動画像データの再生開始時刻情報を受信する通信手段と、共通時刻情報受信手段と、第２の動画像データの再生開始時刻を検出する手段とを有し、前記通信手段により受信された再生開始時刻情報と、前記再生開始時刻検出手段により検出された再生開始時刻に基づき、前記第２の動画像データの再生位置を変更することを特徴とする。
【発明の効果】
【００１３】
本発明によれば、複数のユーザ間で全く同じ位置で動画再生の一時停止が可能となり、コンテンツのシーンの境付近での一時停止であっても、双方で同じ画像が表示される。これにより、全く同じ画像を見ながら、その画像に関する話題で会話できる。
【００１４】
テープメディア又はディスクメディアであっても、一時停止解除後に、双方で同じ画像が再生表示され、同じ画像を見ながらその画像に関する話題で会話できる。
【発明を実施するための最良の形態】
【００１５】
以下、図面を参照して、本発明の実施例を詳細に説明する。
【実施例１】
【００１６】
図１は、本発明の第１実施例の概略構成ブロック図である。映像通信端末１００はユーザＡが使用し、映像通信端末３００は、ユーザＢが利用する。テレビカメラ１０５，３０５はそれぞれ、ユーザＡ，Ｂを撮影する。映像通信端末１００と映像通信端末３００は、同じ構成と機能を具備するが、ここでは、映像通信端末１００が主体的に動作する例で、映像通信端末１００，３００の構成と機能を説明する。
【００１７】
１１０は放送番組受信部であり、一般的なデジタルテレビの構成と同様である。チューナ１１２は、アンテナ１１１からの信号を受信し、受信データの復調と誤り訂正等を行ない、トランスポートストリーム（ＴＳ）データを出力する。デマルチプレクサ１１３は、複数チャンネル分の映像音声データおよび字幕文字情報と電子番組データ等が時分割多重化されているＴＳデータから、所望の映像データ、音声データ及び字幕文字情報等を分離する。分離された映像データは、ビデオデコーダ１１４へ送られ、復号化される。デマルチプレクサ１１３で分離された音声データは、不図示の音声デコーダに送られ、不図示の音声出力部、例えばスピーカに出力される。
【００１８】
一時記憶メモリ１１５は、ビデオデコーダ１１４の出力する映像データを複数フレーム分、一時記憶する。ビデオデコーダ１１４の出力する映像データは、一時記憶メモリ１１５を介して映像合成部１７０に入力する。ビデオデコーダ１１４で復号化された映像データは、映像合成部１７０により表示部１８０で表示される。映像合成部１７０は、一時記憶メモリ１１５からの映像を表示部１８０において静止画表示することができる。
【００１９】
ＣＯＤＥＣ１４０は、映像音声データを圧縮し、伸長する。ＣＯＤＥＣ１４０は、テレビカメラ１０５の出力映像を圧縮して、ネットワークコントロールユニット（ＮＣＵ）１５０に出力する。また、ＮＣＵ１５０から入力される圧縮映像データを伸長する。ＮＣＵ１５０は、通信回線４００上での接続制御等を行なう。
【００２０】
通信回線４００はＩＳＤＮであり、ＮＣＵ１５０は、ＩＴＵによるＨ３２０規格で動作するよう構成されており、ＣＯＤＥＣ１４０，３４０の出力する映像と、その他の制御コマンド等が通信回線４００上を転送可能である。
【００２１】
制御部１９０は、映像通信端末１００内の各ブロックを適宜制御し、例えば、不図示のリモコン又は不図示の操作部の操作に従って、放送番組受信部１１０のチャンネル変更等の制御を行なう。制御部１９０はまた、ＮＣＵ１５０で受信する制御コマンドに従い、放送番組受信部１１０のチャンネル変更等の制御を行なう。
【００２２】
映像通信端末３００は、ユーザＢ側に存在する。映像端末３００の構成は、映像通信端末１００と同様である。ただし、一時記憶メモリ１１５に相当するものは存在しない。
【００２３】
デジタル放送では、一般的にシステム時刻基準参照値（ＳＣＲ）とプログラム時刻基準参照値（ＰＣＲ）が放送されており、時間情報の取得と校正が可能となっている。従って、映像通信端末１００と映像通信端末３００は、同じ時刻を得ることが可能であり、同じ時刻をベースに動作できる。
【００２４】
映像通信端末１００、３００の動作を詳細に説明する。映像通信端末１００，３００間で、回線の接続が完了しているとする。
【００２５】
ユーザＡがあるチャンネルを選局したとする。制御部１９０は、放送番組受信部１１０の受信チャンネルとしてそのチャンネルをセットすると同時に、選局コマンドをＣＯＤＥＣ１４０及びＮＣＵ１５０を介して映像通信端末３００に送信する。映像通信端末３００の制御部３９０は、選局コマンドをＮＣＵ３５０及びＣＯＤＥＣ部３４０を介して受信し、放送番組受信部３１０の受信チャンネルを選局コマンドで指定されているチャンネル、即ち、ユーザＡが選択したチャンネルにセットする。
【００２６】
映像合成部１７０は、ＣＯＤＥＣ３４０、ＮＣＵ３５０、ＮＣＵ１５０及びＣＯＤＥＣ１４０を介して受信するテレビカメラ３０５の画像を、放送番組受信部１１０からの映像に合成し、合成画像を表示部１８０に表示する。この時の表示部１８０の画面例を図２に示す。映像通信端末３００も同様に動作する。表示部３８０の画面例を図３に示す。
【００２７】
ここで、ユーザＡが画面静止の操作をしたものとする。すると、映像通信端末１００の制御部１９０は、現在時刻を識別し、現在時刻に所定時間を付加した時刻を画面静止時刻として一時記憶する。次に、画面静止コマンドと一時記憶した画面静止時刻を、ＣＯＤＥＣ１４０及びＮＣＵ１５０を介して映像通信端末３００に出力する。映像通信端末３００の制御部３９０は、画面静止コマンドと画面静止時刻をＮＣＵ３５０及びＣＯＤＥＣ３４０を通じて受信する。
【００２８】
タイミングとして、３つのケースを想定できる。即ち、映像通信端末３００が画面静止時刻以前に画面静止コマンドを受信し、映像通信端末１００が画面静止時刻以前に画面静止コマンドの応答を受信した場合（ケース１）と、映像通信端末３００が画面静止時刻以前に画面静止コマンドを受信し、映像通信端末１００が画面静止時刻以降に画面静止コマンドの応答を受信した場合（ケース２）と、映像通信端末３００が画面静止時刻以降に画面静止コマンドを受信する場合（ケース３）である。端末３００での画面静止に要する処理時間を考慮し、端末１００からの画面静止コマンドを受信指定から当該画面静止コマンドで指定される画面静止時間までの時間が、端末３００での画面静止の処理時間に満たない場合も、ケース３と同様に扱われる。
【００２９】
ケース１の場合の端末１００，３００間の通信を図５に示す。映像通信端末３００の制御部３９０は、受信した画面静止時刻までに時間的余裕があり、画面静止時刻に画面の静止が可能であるので、画面静止コマンドの応答を、端末３００で画面を静止する時刻、即ち、受信した画面静止時刻に等しい時刻とともに、ＣＯＤＥＣ３４０ＮＣＵ３５０を介して映像通信端末１００に送信する。そして、画面静止時刻になると、制御部３９０は、映像合成部３７０を制御して画面を静止する。一方、映像通信端末１００は、画面静止コマンドの応答と端末３００での画面静止時刻を受信し、受信した画面静止時刻に映像合成部１７０を制御して画面を静止する。
【００３０】
以上により、端末１００の画面と端末３００の画面でまったく同じ画像を静止できる。従って、コンテンツのシーンの境付近での一時停止であっても、双方で同じ画像が表示され、ユーザＡ，Ｂは、同じ画像を見ながら、その画像に関する話題で会話となる。
【００３１】
ケース２の場合の端末１００，３００間の通信を図５に示す。この場合の映像通信端末３００の動作はケース１の場合と同じである。
【００３２】
映像通信端末１００は、画面静止時刻になっても、画面静止コマンドの応答を受信できない場合、映像合成部１７０を制御して画面を静止し、ビデオデコーダ１１４からの映像データの一時記憶メモリ１１５への記憶を開始する。その後、端末１００は、映像通信端末３００から画面静止コマンドの応答と画面静止時刻を受信するが、受信した画面静止時刻が、自身の画面を静止した時刻と同一であるので、ここでは何もしない。
【００３３】
以上により、端末１００の画面と端末３００の画面で、全く同じ画像を静止でき、ケース１の場合と同様の効果が得られる。
【００３４】
ケース３の場合の端末１００，３００間の通信を図６に示す。ケース３の場合、映像通信端末３００の制御部３９０は、受信した画面静止時刻が現在時刻を過ぎているので、ただちに画面を静止する。そして、制御部３９０は、画面静止コマンドの応答を、端末３００で画面を静止した時刻とともに、ＣＯＤＥＣ３４０及びＮＣＵ３５０を介して映像通信端末１００に出力する。
【００３５】
映像通信端末１００は、画面静止コマンドの応答と端末３００での画面静止時刻を受信するが、それが、一時記憶した画面静止時刻を過ぎている。端末１００は、一時記憶した画面静止時刻になると、映像合成部１７０を制御して画面を静止し、ビデオデコーダ１１４からの映像データの一時記憶メモリ１１５への記憶を開始する。その後、映像通信端末３００から画面静止コマンドの応答と端末３００での画面静止時刻を受信すると、制御部１９０は、映像合成部３７０を制御して、一時記憶メモリ１１５の中の、端末３００での画面静止時刻に相当する時刻の映像を表示する。
【００３６】
以上により、ケース１，２の場合と同様に、端末１００の画面と端末３００の画面で全く同じ画像を静止でき、ケース１，２の場合と可能となる。
【実施例２】
【００３７】
本発明の第２実施例を説明する。図７は、第２実施例の概略構成ブロック図を示す。図１に示す実施例と同一の構成要素には同じ符号を付してある。
【００３８】
映像通信端末１００ａは、基本的に映像通信端末１００と機能に加えて、ビデオカセットレコーダ（ＶＣＲ）１２０を制御し、その再生映像を取り込む機能を具備する。ＶＣＲ１２０は、カセットテープに録画されたコンテンツを再生する。映像通信端末１００ａの制御部１９０ａは、ＶＣＲ１２０の再生、停止及び一時停止等を制御できる。これは、公知の技術、例えば、映像通信端末１００とＶＣＲ１２０を、アメリカ電子電機学会（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．）により、ＩＥＥＥ１３９４−１９９５規格として規格化されているＩＥＥＥ１３９４シリアルバスで接続し、映像音声データをアイソクロナスデータとして転送し、ＶＣＲ１２０の制御コマンドをアシンクロナスデータとして転送することで可能である。１３９４Ｔｒａｄｅ  Ａｓｓｏｃｉａｔｉｏｎ（１３９４ＴＡ）において、ＩＥＥＥ１３９４シリアルバス上で使用する制御コマンド及び制御方式（プロトコル）が規定されており、詳細は、１３９４ＴＡより発行されている「ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ」、「ＡＶ／Ｃ  Ｄｉｇｉｔａｌ  Ｉｎｔｅｒｆａｃｅ  Ｃｏｍｍａｎｄ  Ｓｅｔ  ＶＣＲ  Ｓｕｂｕｎｉｔ  Ｓｐｅｃｉｆｉｃａｔｉｏｎ」等の規格書を参照されたい。
【００３９】
制御部１９０ａからの制御コマンドは、ＮＣＵ１５０を通じて外部に送信可能である。さらに、制御部１９０ａは、ＮＣＵ１５０が受信する制御コマンドに従って、ＶＣＲ１２０を制御する。一時記憶メモリ１２５は、制御部１９０ａの制御下で、ＶＣＲ１２０の出力する映像データを一時記憶する。
【００４０】
映像通信端末３００ａは、映像通信端末３００の機能に加えて、ビデオカセットレコーダ（ＶＣＲ）３２０を制御し、その再生映像を取り込む機能を具備する。即ち、映像通信端末３００ａと映像通信端末１００ａは実質的に同じ機能を具備する。一時記憶メモリ３２５は、制御部３９０ａの制御下で、ＶＣＲ３２０の出力する映像データを一時記憶する。
【００４１】
ＶＣＲ１２０，３２０には、同じコンテンツが録画されているカセットテープがセットされているものとする。
【００４２】
映像通信端末１００ａ，３００ａの動作を説明する。映像通信端末１００ａ，３００ａ間で回線の接続は完了しているとする。
【００４３】
ユーザＡが、ＶＣＲ１２０を再生する操作をしたものとする。すると、制御部１９０ａは、ＶＣＲ１２０を再生状態に制御するとともに、再生コマンドをＣＯＤＥＣ１４０及びＮＣＵ１５０を介して映像通信端末３００ａに送信する。映像通信端末３００ａの制御部３９０ａは、ＮＣＵ３５０及びＣＯＤＥＣ３４０を通じて受信した再生コマンドに従い、ＶＣＲ３２０を再生状態に制御する。
【００４４】
映像合成部１７０は、ＣＯＤＥＣ３４０、ＮＣＵ３５０、ＮＣＵ１５０及び１４０を通じて受信するテレビカメラ３０５の画像を、ＶＣＲ１２０の再生映像上に合成し、表示部１８０に表示する。この時の表示部１８０の画面例を図８に示す。映像通信端末３００ａも同様に動作する。表示部３８０の画面例を図９に示す。
【００４５】
ここで、ユーザＡがＶＣＲ１２０を一時停止する操作をしたものとする。すると、制御部１９０ａは、ＶＣＲ１２０を一時停止状態に制御し、ＶＣＲ１２０の一時停止状態のテープ上の位置を識別する。これは、ＡＶ／Ｃコマンドのａｂｓｏｌｕｔｅ  ｔｒａｃｋ  ｎｕｍｂｅｒコマンドで可能である。そして、制御部１９０ａは、一時停止コマンドと、ＶＣＲ１２０の一時停止位置を、ＣＯＤＥＣ１４０及びＮＣＵ１５０を介して映像通信端末３００ａに送信する。
【００４６】
映像通信端末３００ａの制御部３９０ａは、ＮＣＵ３５０、ＣＯＤＥＣ部３４０を通じて一時停止コマンドと一時停止位置を受信し、その一時停止位置でＶＣＲ３２０を一時停止させる。これは、ＡＶ／Ｃコマンドのａｂｓｏｌｕｔｅ  ｔｒａｃｋ  ｎｕｍｂｅｒコマンドで可能である。
【００４７】
以上により、ユーザＡ側のＶＣＲ１２０とユーザＢ側のＶＣＲ３２０とを、まったく同じ位置で一時停止可能となり、第１実施例と同様の効果が得られる。
【００４８】
以上の説明において、テープ上の一時停止位置を使用したが、コンテンツ内の各フレームにフレームＩＤを付加し、映像通信端末１００ａ，３００ａでそのフレームＩＤを識別可能に構成した場合、テープ上の位置の代わりにフレームＩＤを使用してもよい。
【００４９】
つぎに、双方が一時停止中の状態で、ユーザＡがＶＣＲ１２０の再生を指示したとする。すると、映像通信端末１００ａの制御部１９０ａは、ＶＣＲ１２０を再生状態に制御するとともに、再生コマンドをＣＯＤＥＣ１４０及びＮＣＵ１５０を介して、映像通信端末３００に送信する。端末１００ａは、ＶＣＲ１２０が映像の再生を開始すると、その再生開始時刻を映像通信端末３００ａに送信する。
【００５０】
映像通信端末３００ａの制御部３９０ａは、再生コマンドをＮＣＵ３５０及びＣＯＤＥＣ３４０を介して受信すると、ＶＣＲ３２０を再生状態に制御する。そして、ＶＣＲ３２０が映像の再生を開始すると、端末３００ａは、再生開始時刻を映像通信端末１００ａに送信する。
【００５１】
ＶＣＲ１２０の再生開始時刻がｔ１で、ＶＣＲ３２０の再生開始時刻がｔ２であり、ｔ１＜ｔ２であるとする。再生開始時刻が早い映像通信端末１００ａは、ＶＣＲ１２０の出力する映像の一時記憶メモリ１２５への記憶を開始する。そして、ｔ２−ｔ１に相当する長さの映像を一時記憶メモリ１２５に記憶すると、一時記憶メモリ１２５から映像合成部１７０への映像信号の読み出しを開始する。以上の動作の様子を、図１０に示す。
【００５２】
また、ＶＣＲ１２０に比べＶＣＲ３２０の映像再生が早い場合、すなわち、ｔ１＞ｔ２の場合、再生開始時刻が早い映像通信端末３００が、ＶＣＲ３２０の出力する映像の一時記憶メモリ３２５への記憶を開始し、そして、ｔ１−ｔ２に相当する長さの映像を一時記憶メモリ３２５に記憶すると、一時記憶メモリ３２５から映像合成部３７０への映像信号の読み出しを開始する。以上の動作の様子を、図１１に示す。
【００５３】
以上により、端末１００ａの画面と端末３００ａの画面で全く同じ画像を表示可能となる。
【００５４】
以上の説明では、ＶＣＲ１２０、３２０がハードディスク記憶装置のように、十分早い応答性を持つもので構成されている場合、映像通信端末１００ａは一時記憶メモリ１２５を必要とせず、ｔ２−ｔ１の時間に相当分、再生位置を前方に変更（巻き戻す）すればよい。又は、再生開始時刻が遅い映像通信端末３００が、ｔ２−ｔ１の時間に相当分、再生位置を後方に変更（早送り）すればよい。映像通信端端末３００ａも同様である。
【００５５】
本実施例では、映像通信端末１００ａと映像通信端末３００ａが放送番組受信部１１０、３１０から同じ時刻を得ているが、独立行政法人通信総合研究所の運用するＪＪＹ標準電波により映像通信端末１００ａと映像通信端末３００ａで同じ時刻を得るように構成してもよい。
【実施例３】
【００５６】
本発明の第３実施例を説明する。第３実施例は、第１実施例を以下のように変更したものであり、図１２を参照して、変更点のみを説明する。
【００５７】
ユーザＡが画面の静止操作をしたものとする。すると、制御部１９０は、映像合成部１７０を制御して画面を静止し、画面静止コマンドをＣＯＤＥＣ１４０及びＮＣＵ１５０を介して映像通信端末３００に送信する。そして、映像通信端末１００は、映像通信端末３００からの応答を待つとともに、ビデオデコーダ１１４からの映像データの一時記憶を開始する。
【００５８】
映像通信端末３００の制御部３９０は、画面静止コマンドをＮＣＵ３５０及びＣＯＤＥＣ部３４０を通じて受信すると、映像合成部３７０を制御して画面を静止し、現在時刻を識別する。そして、端末３００は、端末３００での画面静止時刻を、画面静止コマンドの応答とともに、ＣＯＤＥＣ３４０及びＮＣＵ３５０を介して映像通信端末１００に送信する。
【００５９】
映像通信端末１００の制御部１９０は、画面静止コマンドの応答と端末３００の画面静止時刻をＮＣＵ１５０及びＣＯＤＥＣ１４０を介して受信すると、映像合成部３７０を制御し、一時記憶中の映像データの中の、端末３００での画面静止時刻に相当する時刻の映像を表示する。
【００６０】
以上により、端末１００の画面と端末３００の画面で全く同じ画像を静止でき、第１実施例と同様の効果が得られる。また、第１実施例に比べ、端末１００のユーザＡによる画面静止の操作からより短時間で画面が静止し、快適な操作環境が得られる。また、第２実施例に比べ、映像通信端末１００は、画面静止時刻の一時記憶が不要となり、端末３００での画面静止時刻との比較も不要になるので、動作が簡単になる。
【実施例４】
【００６１】
本発明の第４実施例を説明する。図１３は、第４実施例の概略構成ブロック図を示す。
映像通信端末１００ｂ，３００ｂの基本的な構成はそれぞれ、第１実施例の映像通信端末１００，３００と同じである。一時記憶メモリ３１５は、ビデオデコーダ３１４の出力する映像データを複数フレーム分、記憶可能であり、本実施例では、ビデオでコーダ３１４の出力映像データを常時、一時記憶する。
【００６２】
ユーザＡが画面静止の操作をしたものとする。このときの端末１００ｂ，３００ｂの動作を図１４に示す。
【００６３】
ユーザＡの操作に応じて、映像通信端末１００ｂの制御部１９０ｂは、現在時刻を識別し、現在時刻に所定時間を付加した時刻を、画面静止時刻として一時記憶する。次に、制御部１９０ｂは、画面静止コマンドを画面静止時刻とともに、ＣＯＤＥＣ１４０及びＮＣＵ１５０を介して映像通信端末３００ｂに送信する。そして、端末１００ｂは、映像通信端末３００ｂからの応答を待つとともに、ビデオデコーダ１１４の出力映像データの、一時記憶メモリ１１５への一時記憶を開始する。
【００６４】
映像通信端末３００ｂの制御部３９０ｂは、画面静止コマンドをＮＣＵ３５０及びＣＯＤＥＣ３４０を介して受信すると、映像合成部３７０を制御し、一時記憶メモリ３１５に記憶される映像の中の、画面静止時刻の映像を読み出して表示する。制御部３９０ｂは、画面静止コマンドの応答を、端末３００ｂでの画面静止時刻、即ち、端末１００から送信された画面静止時刻とともに、ＣＯＤＥＣ３４０及びＮＣＵ３５０を介して映像通信端末１００ｂに送信する。
【００６５】
映像通信端末１００ｂは、映像通信端末３００ｂから画面静止コマンドの応答と端末３０９０ｂでの画面静止時刻を受信する。受信した画面静止時刻は、端末１００ｂでの画面静止時刻と同一であるので、この時点で、端末１００ｂは何もしない。
【００６６】
以上により、端末１００ｂの画面と端末３００ｂの画面で全く同じ画像を静止でき、可第３実施例と同様の効果が得られる。また、第３実施例に比べ、ユーザＡの画面静止操作からより短時間で画面が静止し、快適な操作環境が得られる。
【実施例５】
【００６７】
本発明の第５実施例を説明する。第５実施例の構成は、第３実施例の構成とほぼ同じである。以下、第３実施例に対する変更点を説明する。
【００６８】
ユーザＡが画面の静止操作をしたものとする。このときの端末１００，３００の動作を図１５に示す。
【００６９】
この操作に応じて、制御部１９０は、現在時刻を識別し、画面を静止し、画面静止コマンドと識別時刻をＣＯＤＥＣ１４０及びＮＣＵ１５０を介して映像通信端末３００に送信する。そして、映像通信端末１００は、映像通信端末３００からの応答を待つとともに、ビデオデコーダ１１４からの映像データを、一定時間間隔、ここでは１００ｍｓ毎に一時記憶メモリ１１５に記憶する。ここで、一時記憶メモリ１１５への一時記憶の時間間隔１００ｍｓは、映像通信端末１００と映像通信端末３００とで予め決められている。
【００７０】
映像通信端末３００の制御部３９０は、画面静止コマンドと時刻をＮＣＵ３５０及びＣＯＤＥＣ部３４０を介して受信する。そして、制御部３９０は、現在時刻が受信時刻＋（１００ｍｓの整数倍）になると、映像合成部３７０を制御して画面を静止する。そして、画面静止コマンドの応答を、端末３００での画面静止時刻とともに、ＣＯＤＥＣ部３４０及びＮＣＵ３５０を介して映像通信端末１００に送信する。
【００７１】
映像通信端末１００の制御部１９０は、画面静止コマンドの応答と端末３００での画面静止時刻をＮＣＵ１５０及びＣＯＤＥＣ部１４０を介して受信すると、映像合成部３７０を制御し、一時記憶メモリ１１５に記憶される映像データの中から、端末３００の画面静止時刻と同じ時刻の映像を読み出して表示する。
【００７２】
以上により、端末１００の画面と端末３００の画面で全く同じ画像が静止可能となり、第１及び第３実施例と同様の効果が得られる。
【００７３】
第三の実施例に比べ、映像通信端末１００が画面静止コマンドを映像通信端末３００に出力してからその応答を受信するまでの間、ビデオデコーダ１１４からの映像データを一定時間間隔、ここでは１００ｍｓで記憶すれば良いので、一時記憶メモリ１１５が小容量で良い。
【００７４】
一時記憶メモリ１１５にビデオデコーダ１１４からの映像データを一時記憶する時間間隔を映像通信端末１００と映像通信端末３００とで予め取り決めておくようにしたが、画面静止コマンドに付加することで、事前の取り決めは不要になる。画面静止コマンドに、静止時刻＝ｔ、ｔ＋７５ｍｓ、ｔ＋１５０ｍｓ、ｔ＋２２５ｍｓ、ｔ＋３００ｍｓ、・・・・・・・のように、一時記憶する時間情報を含め、このような時間情報を受信した映像通信端末３００が、これらの時間情報のいずれかと合致する時刻で、画面を静止するように構成してもよい。
【００７５】
別の見方では、このように画面静止コマンドに一時記憶の時間間隔を付加することは、事前の取り決めに相当するとも理解しうる。
【図面の簡単な説明】
【００７６】
【図１】本発明の第１実施例の概略構成ブロック図である。
【図２】表示部１８０の画面例である。
【図３】表示部３８０の画面例である。
【図４】第１実施例のケース１の場合の端末１００，３００間の動作例である。
【図５】第１実施例のケース２の場合の端末１００，３００間の動作例である。
【図６】第１実施例のケース３の場合の端末１００，３００間の動作例である。
【図７】第２実施例の概略構成ブロック図である。
【図８】第２実施例の表示部１８０の画面例である。
【図９】第２実施例の表示部３８０の画面例である。
【図１０】端末１００ａ，３００ａ間の動作例である。
【図１１】端末１００ａ，３００ａ間の別の動作例である。
【図１２】第３実施例での端末１００，３００間の動作例である。
【図１３】第４実施例の概略構成ブロック図である。
【図１４】端末１００ｂ，３００ｂの動作例である。
【図１５】第５実施例での端末１００，３００の動作例である。
【符号の説明】
【００７７】
１００，１００ａ，１００ｂ：映像通信端末
１０５：テレビカメラ
１１０：放送番組受信部
１１１：アンテナ
１１２：チューナ
１１３：デマルチプレクサ
１１４：ビデオデコーダ
１１５：一時記憶メモリ
１２０：ＶＣＲ
１２５：一時記憶メモリ
１４０：ＣＯＤＥＣ
１５０：ＮＣＵ
１７０：映像合成部
１８０：表示部
１９０，１９０ａ，１９０ｂ：制御部
３００，３００ａ，３００ｂ：映像通信端末
３０５：テレビカメラ
３１０：放送番組受信部
３１１：アンテナ
３１２：チューナ
３１３：デマルチプレクサ
３１４：ビデオデコーダ
３１５：一時記憶メモリ
３２０：ＶＣＲ
３２５：一時記憶メモリ
３４０：ＣＯＤＥＣ
３５０：ＮＣＵ
３７０：映像合成部
３８０：表示部
３９０，３９０ａ，３９０ｂ：制御部
４００：通信回線
【図１】
2005176219.tif 000003
【図２】
2005176219.tif 000004
【図３】
2005176219.tif 000005
【図４】
2005176219.tif 000006
【図５】
2005176219.tif 000007
【図６】
2005176219.tif 000008
【図７】
2005176219.tif 000009
【図８】
2005176219.tif 000010
【図９】
2005176219.tif 000011
【図１０】
2005176219.tif 000012
【図１１】
2005176219.tif 000013
【図１２】
2005176219.tif 000014
【図１３】
2005176219.tif 000015
【図１４】
2005176219.tif 000016
【図１５】
2005176219.tif 000017